(57)【要約】【課題】記録マークの記録と再生とを一の光学ピックアップヘッドでリアルタイムに行うことが可能な技術を提供することである。【解決手段】光記録媒体に対して、発光手段から光ビームを照射して前記光記録媒体のトラックの線方向に記録マークを形成する光記録再生装置において、前記発光手段と前記光記録媒体との光学経路中に配置され、前記光ビームの０次光と±１次光の内の少なくとも一方の１次光とが、前記光記録媒体のトラックの線方向に一致するように、前記光ビームを回折する回折手段を備えた。【選択図】　　　　図１
2004022044.tif 000002
【特許請求の範囲】
【請求項１】
光記録媒体に対して、発光手段から光ビームを照射して前記光記録媒体のトラックの線方向に記録マークを形成する光記録再生装置において、前記発光手段と前記光記録媒体との光学経路中に配置され、前記光ビームの０次光と±１次光の内の少なくとも一方の１次光とが、前記光記録媒体のトラックの線方向に一致するように、前記光ビームを回折する回折手段を備えたことを特徴とする光記録再生装置。
【請求項２】
光記録媒体に対して、発光手段から光ビームを照射して前記光記録媒体のトラックの線方向に記録マークを形成する光記録再生装置において、記録の際に、前記発光手段から照射される光ビームを回折した０次光により前記光記憶媒体に前記記録マークを記録し、前記光ビームを回折した±１次光の内の何れかの１次光により前記記録マークを再生する記録再生手段を備えたことを特徴とする光記録再生装置。
【請求項３】
請求項２に記載の光記録再生装置において、前記記録再生手段は、前記発光手段と前記光記録媒体との光学経路中に配置され前記光ビームを回折する回折手段と、前記１次光より再生した信号から前記光ビームを変調する信号成分を除去する補正手段とを備えたことを特徴とする光記録再生装置。
【請求項４】
請求項３に記載の光記録再生装置において、前記補正手段は、前記再生信号に重畳される前記光ビームの変調信号を生成する手段と、前記光ビームの変調信号と前記１次光より再生した信号との位相を補正する遅延手段とを備えたことを特徴とする光記録再生装置。
【請求項５】
光記録媒体に対して、発光手段から光ビームを照射して前記光記録媒体のトラックの線方向に記録マークを形成する光記録再生方法において、記録の際に、前記発光手段から照射される光ビームを回折した０次光により前記光記憶媒体に前記記録マークを記録し、前記光ビームを回折した±１次光の内の何れかの１次光により、前記記録マークを再生することを特徴とする光記録再生方法。
【請求項６】
請求項５に記載の光記録再生方法において、前記１次光より再生した信号から前記光ビームを変調する信号成分を除去することを特徴とする光記録再生方法。
【請求項７】
請求項６に記載の光記録再生方法において、前記光ビームの変調信号成分の除去は、前記再生信号に重畳される前記光ビームの変調信号を生成するステップと、前記光ビームの変調信号と前記１次光より再生した信号との位相を補正するステップとによりなされることを特徴とする光記録再生方法。
【発明の詳細な説明】
【０００１】
【発明の属する技術分野】
本発明は、光記録再生装置及び光記録再生方法に関し、特に、光ビームを用いて記録媒体にリアルタイムに記録再生する技術に関するものである。
【０００２】
【従来の技術】
近年、例えばＨＤＤ（磁気ディスク装置）や光ディスク等の円盤状記録媒体にデジタル圧縮画像を記録する記録再生の開発が進められている。特に、ＤＶＤ（Ｄｉｇｉｔａｌ　Ｖｅｒｓａｔｉｌｅ　Ｄｉｓｋ）光ディスクを記録媒体とした光記録再生装置は、従来の磁気テープを記録媒体として用いた記録再生装置に置き換わる新規な装置として注目を集めている。
【０００３】
従来の光記録再生装置は、例えば、レーザー光源と、このレーザー光源から出射されたレーザー光を記録媒体方向に誘導するビームスプリッターと、記録媒体から反射されたレーザー光を電気信号に変換する光検出器とが一体に形成された光学ピックアップヘッドを、記録媒体の記録位置及び再生位置に移動させることによって、記録動作及び再生動作を行う構成となっていた。
【０００４】
このとき、記録動作時には記録膜面上でのレーザー光出力を６ｍＷ程度の高出力とし、再生動作時にはその光出力を０．６ｍＷ程度に低下させて、記録動作もしくは再生動作を行う構成となっていた。すなわち、従来の光記録再生装置においては、レーザー光で記録を行っている状態のときには、同時に再生系を動作していない構成となっていた。
【０００５】
【発明が解決しようとする課題】
本発明者は、前記従来技術を検討した結果、以下の問題点を見いだした。
従来の光記録再生装置では、例えば、記録信号の確認等の用途のために、記録媒体に記録したマークである記録マークを再生することによって得られる再生信号と記録信号とを比較することによって、記録媒体への記録の信頼性を向上させることが一般的であった。
【０００６】
一方、従来の光記録再生装置をテレビ放送番組の記録に用いた場合には、ＭＰＥＧ圧縮された映像の記録レートは最大約１０Ｍｂｐｓとなるので、記録と再生とをリアルタイムに行うためには、１０Ｍｂｐｓ×２＝２０Ｍｂｐｓ以上の速度で記録媒体への記録と再生とが必要であった。
【０００７】
しかしながら、従来の光記録再生装置では、ＨＤＤのピックアップヘッドに比較すると、比較的大型の光学ピックアップヘッド構成となってしまうと共に、レーザー光源の出力を記録用と再生用とに切り替える必要があったので、記録と再生とをリアルタイムに行うことは困難であった。
【０００８】
この問題を解決する方式として、記録を行う光学ピックアップヘッドとは独立したもう一式の光学ピックアップヘッドを用意し、一方の光学ピックアップヘッドで記録を行い、他方の光学ピックアップヘッドで記録されたマークの再生を行うことが考えられる。しかしながら、この方式では、光学ピックアップヘッドを余分に設ける必要があると共に、２つの光学ピックアップヘッドを同時に制御する必要もあるので、構成が複雑になってしまうという問題があった。
【０００９】
また、記録時に光検出器に入射されるレーザー光から得られる信号を再生信号として、記録信号とを比較することも考えられるが、この場合に得られる再生信号は記録用のレーザー発光パターンが得られるだけとなり、記録されたマークに基づいた再生信号とは異なるものであった。
【００１０】
本発明の目的は、記録マークの記録と再生とを一の光学ピックアップヘッドでリアルタイムに行うことが可能な技術を提供することにある。
本発明の前記ならびにその他の目的と新規な特徴は、本明細書の記述及び添付図面によって明らかになるであろう。
【００１１】
【課題を解決するための手段】
本願において開示される発明のうち、代表的なものの概要を簡単に説明すれば、下記のとおりである。
【００１２】
（１）、光記録媒体に対して、発光手段から光ビームを照射して前記光記録媒体のトラックの線方向に記録マークを形成する光記録再生装置において、前記発光手段と前記光記録媒体との光学経路中に配置され、前記光ビームの０次光と±１次光の内の少なくとも一方の１次光とが、前記光記録媒体のトラックの線方向に一致するように、前記光ビームを回折する回折手段を備えた。
【００１３】
（２）、光記録媒体に対して、発光手段から光ビームを照射して前記光記録媒体のトラックの線方向に記録マークを形成する光記録再生装置において、記録の際に、前記発光手段から照射される光ビームを回折した０次光により前記光記憶媒体に前記記録マークを記録し、前記光ビームを回折した±１次光の内の何れかの１次光により前記記録マークを再生する記録再生手段を備えた。
【００１４】
（３）、光記録媒体に対して、発光手段から光ビームを照射して前記光記録媒体のトラックの線方向に記録マークを形成する光記録再生方法において、記録の際に、前記発光手段から照射される光ビームを回折した０次光により前記光記憶媒体に前記記録マークを記録し、前記光ビームを回折した±１次光の内の何れかの１次光により、前記記録マークを再生する。
【００１５】
前述した手段によれば、発光手段と光記録媒体との光学経路中に、前記発光手段から照射される光ビームを回折する回折手段が配置されると共に、光ビームの０次光と±１次光の内の少なくとも一方の１次光とが、光記録媒体のトラックの線方向に一致するように、回折手段が調整されている。
【００１６】
従って、記録の際に、発光手段から照射される光ビームを回折した０次光により光記憶媒体に記録マークを記録することにより、光ビームを回折した±１次光の内の何れかの１次光により記録マークを再生することが可能となるので、一の光学ピックアップヘッドで記録マークの記録と、この記録された記録マークから得られる再生信号の読み出しをリアルタイムに行うことができる。
【００１７】
【発明の実施の形態】
以下、本発明について、発明の実施の形態（実施例）とともに図面を参照して詳細に説明する。
なお、発明の実施の形態を説明するための全図において、同一機能を有するものは同一符号を付け、その繰り返しの説明は省略する。
【００１８】
図１は本発明の一実施の形態である光記録再生装置の概略構成を説明するための図である。ただし、図１に示す光記録再生装置は、記録媒体である光ディスク１０５への記録マークの記録と再生とをリアルタイムに行う場合の構成であり、再生のみを行う場合についてはレーザー駆動装置１０３には、レーザー出力が低下した一定の駆動信号が供給されるものとなる。
【００１９】
図１において、１０１は記録データ、１０２はレーザー発光パターン部、１０３はレーザー駆動装置、１０４は光学ピックアップヘッド、１０５は光ディスク（光記録媒体）、１０６は遅延装置、１０７は差動アンプ、１０８は等化回路、１０９は加算回路、１１０はスイッチ回路、１１１はプリアンプ、１１２はＡ／Ｄ変換器、１１３は復号器、１１４は再生データ、１１５はモータを示す。ただし、光学ピックアップヘッド１０４、遅延装置１０６、差動アンプ１０７、等化回路１０８、加算回路１０９、及びスイッチ回路１１０を除く他の構成は、従来の光記録再生装置と同様となる。従って、以下の説明では、光学ピックアップヘッド１０４、遅延装置１０６、差動アンプ１０７、等化回路１０８、加算回路１０９、及びスイッチ回路１１０について、詳細に説明する。
【００２０】
図１に示すように、本実施の形態の光記録再生装置では、記録データ１０１から得られる記録信号をレーザー発光用の信号である変調信号に変調するレーザー発光パターン部１０２と、変調信号に応じて図示しないレーザー光源であるレーザーダイオード等を駆動する駆動電力を生成するレーザー駆動装置１０３と、駆動電力に応じた記録用のレーザー光（０次光）と再生用のレーザー光（＋１次光もしくは−０次光）とを光ディスク１０５に照射すると共に、再生用のレーザー光の反射光に応じた信号である再生信号を出力する光学ピックアップヘッド１０４と、この再生信号と等化回路１０８から入力される信号（等化信号）とを加算する加算回路１０９と、記録信号を所定時間分遅延させる遅延装置１０６と、遅延後の記録信号の信号レベルを反転させる差動アンプ１０７と、レベル反転された記録信号に対してレーザー光の発光状態を補償するために、記録信号の波形を発光状態の逆特性の等化を行う等化回路１０８と、記録再生時すなわちリアルタイムで記録と再生とを行う場合の再生信号である加算回路１０９の出力と再生専用時における０次光による再生信号との何れかを再生信号としてプリアンプ１１１に入力するかを切り替えるスイッチ回路１１０と、スイッチ回路１１０を介して入力される信号を再生信号として増幅するプリアンプ１１１と、プリアンプ１１１の出力をデジタル信号に変換するＡ／Ｄ変換器１１２と、この変換されたデジタル信号を復号化し再生データ１１４を得る復号器１１３と、光ディスク１０５を所定の回転数で回転させるモータ１１５とから構成される。なお、光学ピックアップヘッド１０４の詳細構成については、後述する。
【００２１】
このように、本実施の形態の光記録再生装置では、遅延装置１０６、差動アンプ１０７、等化回路１０８、加算回路１０９、及びスイッチ回路１１０とによって、記録用のレーザー光から生成された＋１次光の照射によって得られた反射光に応じた再生信号から記録信号成分を取り除き、光ディスク１０５に記録された記録マークから得られる再生信号をリアルタイムに得る（同時再生する）構成となっている。
【００２２】
図２は本実施の形態の光記録再生装置の詳細構成を説明するための図である。ただし、図２の（ａ）は本実施の形態の光記録再生装置における光学ピックアップヘッドの詳細構成を説明するための図であり、図２の（ｂ）は本実施の形態の光学ピックアップヘッドによるレーザースポット位置を説明するための図である。
【００２３】
図２において、２０１はレーザー光源（発光手段）、２０２は第１のレンズ、２０３は回折格子（回折手段）、２０４はビームスプリッター、２０５は偏光板、２０６は反射鏡、２０７は第２のレンズ、２０８は第３のレンズ、２０９は０次光のレーザースポット、２１０は＋１次光によるレーザースポット、２１１は−１次光によるレーザースポット、２１２はレーザー検出器を示す。
【００２４】
図２の（ａ）に示すように、本実施の形態の光学ピックアップヘッド１０４は、レーザー駆動装置１０３からの駆動電力に応じたレーザー光（光ビーム）を照射するレーザー光源２０１と、レーザー光源２０１から出射されたレーザー光を平行光にするコリメータレンズとなる第１のレンズ２０２と、第１のレンズ２０２で平行光となったレーザー光から光回折により０次光と±１次光とを生成する回折格子２０３と、回折格子２０３で生成された０次光及び±１次光を直進させると共に、光ディスク１０５からの反射光の光路を９０度変化させて第３のレンズ２０８に導くビームスプリッター２０４と、ビームスプリッター２０４からの照射光である０次光及び±１次光、並びに光ディスク１０５で反射されたレーザー光の位相を揃える偏光板２０５と、ビームスピリッター２０４を通過した０次光及び±１次光の光路を第２のレンズ２０７の側に９０度変化させて第２のレンズ２０７に導くと共に、光ディスク１０５の表面で反射された反射光の光路を９０度変化させて偏光板２０５に導く反射鏡２０６と、対物レンズとして機能して０次光及び±１次光のレーザースポット２０９〜２１１を光ディスク上に集光する第２のレンズ２０７と、対物レンズとして機能する第３のレンズ２０８と、０次光及び±１次光の反射光を電気信号に変換するレーザー検出器２１２とから構成される。
【００２５】
ただし、本実施の形態の光学ピックアップヘッド１０４では、図２の（ｂ）に示すように、走査方向で示す光ディスク１０５のトラックの線方向に、０次光及び±１次光が順番に配列されるように、回折格子２０３の挿入方向が調整される構成となっている。すなわち、本実施の形態の光学ピックアップヘッド１０４では、回折格子２０３で回折された０次光により形成されるレーザースポット２０９に対して、このレーザースポット２０９で形成される記録マーク（記録済みのマーク）が、光ディスク１０５の回転で＋１次光のレーザースポット２１０の側に移動されるように、回折格子２０３を配置する構成となっている。
【００２６】
このとき、−１次光で形成されるレーザースポット２１１は、０次光により形成されるレーザースポット２０９を基準にして、＋１次光で形成されるレーザースポット２１０と対象の位置すなわちこれから記録マークを記録しようとする位置に形成される。従って、この−１次光により事前に記録されている情報を読み出すことができることとなるので、例えば所定の情報を読み取った瞬間に記録を中断する等によって、光ディスク１０５に既に記録されている情報を保護することも可能となる。
【００２７】
次に、図３に本実施の形態の光記録再生装置における各構成部の出力波形を示し、以下、図３に基づいて、図１及び図２に示す本実施の形態の光記録再生装置の動作を説明する。
まず、図３の（ａ）に示すように、周知の半導体メモリ等に格納された記録データ１０１に従った記録信号が出力されると、この記録信号はレーザー発光パターン部１０２に入力され、記録マークを理想的な形状とするために周知の変調がなされる。このときの変調信号を示したのが図３の（ｂ）であり、本実施の形態では、記録信号よりもパルス幅の細いパルス信号である変調信号に変調される。
【００２８】
レーザー発光パターン部１０２から出力された変調信号は、レーザー駆動装置１０３に入力され、レーザー光源２０１となるレーザーダイオードの駆動信号に変換される。この駆動信号も前述した図３の（ｂ）と同様の信号波形となり、その振幅電圧が、レーザー光源２０１となるレーザーダイオードの印加電圧に応じた電圧に変換されるのみである。
【００２９】
このレーザー駆動装置１０３から出力された駆動信号は、レーザー光源２０１であるレーザーダイオードに供給され、レーザーダイオードを駆動することとなる。このとき、レーザーダイオードから出力されるレーザービームは、図３の（ｃ）に示すように、駆動信号を先鋭化したビーム強度のレーザー光を照射することとなる。このレーザーダイオードから照射されたレーザー光は、第１のレンズ２０２に入射して平行光に変換された後に、回折格子２０３に入射して０次光及び±１次光が生成される。なお、本実施の形態の回折格子２０３によって生成される０次光及び±１次光の詳細については、後述する。
【００３０】
回折格子２０３で生成された０次光及び±１次光は、ビームスプリッター２０４に入力されることとなるが、ビームスプリッター２０４内を直進した後に、偏光板２０５を介して反射鏡２０６に入射される。ここで、本実施の形態では、反射鏡２０６はレーザー光から生成された０次光及び±１次光の光路に対して４５度傾斜して配置されているので、反射鏡２０６に照射された０次光及び±１次光は光路が９０度変化されて、第２のレンズ２０７に入射することとなる。この第２のレンズに入射した０次光及び±１次光は、第２のレンズ２０７によって集光され、それぞれ０次光及び±１次光に対応したレーザースポット２０９〜２１１が、光ディスク１０５の０次光及び±１次光の照射面側に形成される。
【００３１】
このとき、本実施の形態では、前述するように、レーザースポット２０９〜２１１が光ディスク１０５のトラックの線方向に順番に配列されるように、回折格子２０３の配置方向が調整されている。従って、記録データ１０１の記録用のレーザースポットである０次光により形成されるレーザースポット２０９を基準とした場合には、光ディスク１０５のトラックを走査する際の手前方向に、−１次光で形成されるレーザースポット２１１が形成される。一方、光ディスク１０５のトラックを走査する際の記録済みマーク方向に、＋１次光で形成されるレーザースポット２１０が形成される。
【００３２】
その結果、本実施の形態では、光ディスク１０５の表面で反射される０次光及び±１次光の内で、＋１次光が記録済みマークの情報を読み出すためのレーザー光となる。なお、０次光及び±１次光の配列方向が本実施の形態と逆の順番となるように回折格子２０３を配置することによって、−１次光が記録済みマークの読み出し情報を有するレーザー光となることはいうまでもない。ただし、本実施の形態では、０次光及び±１次光はレーザー光源２０１であるレーザーダイオードから照射されたレーザー光から生成されているので、０次光をはじめとして、±１次光も図３の（ｃ）に示す変調されたレーザー光である。
【００３３】
ここで、本実施の形態の光ピックアップヘッド１０４では、光ディスク１０５の表面で反射された０次光及び±１次光（戻り光）は、それぞれ第２のレンズ２０７で平行光に変換された後に、反射鏡２０６及び偏光板２０５を介して、ビームスプリッター２０４に入射される。このビームスプリッター２０４に入射した０次光及び±１次光の戻り光は、光路が９０度変化されて第３のレンズ２０８に入射することとなる。
【００３４】
この第３のレンズ２０８に入射した０次光及び±１次光の戻り光は、第３のレンズ２０８によって集光され、それぞれ０次光及び±１次光の戻り光に対応したレーザースポットが、レーザー検出器２１２の検出面側に形成される。このとき、本実施の形態では、レーザー検出器２１２は３つのレーザースポットに対応した３個の検出器Ａ〜Ｃで構成されており、この各検出器Ａ〜Ｃがそれぞれ０次光及び±１次光の戻り光に対応する構成となっている。従って、本実施の形態では、＋１次光の戻りに対応した検出器Ａからの出力である再生信号が、加算回路１０９に入力される構成となっている。
【００３５】
ここで、レーザー検出器２１２を構成する検出器Ａから出力される再生信号は、光ディスク１０５に照射された＋１次光の変調成分（図３の（ｃ）に示す）に、記録済みマークの読み取りに対応した変調成分が重畳されたレーザー光となっているので、図３の（ｇ）に示す再生信号となる。このとき、この再生信号は、レーザー駆動装置１０３及びレーザー光源２０１による動作時間遅れと、レーザー光源２０１から照射されたレーザー光が光ディスク１０５に至った後に、この光ディスク１０５の記録面側（レーザー光の照射面側）で反射されてレーザー検出器２１２に至る光路を伝達するに要する時間と、＋１次光による戻り光がレーザー検出器２１２で電気信号に変換される時間と、各部を接続する配線遅延等とによる遅延があるので、レーザー発光パターン部１０２から出力される変調信号（図３の（ａ）に示す）を基準とした場合には、再生信号に重畳される変調信号分には遅延が生じていることとなる。
【００３６】
従って、本実施の形態の光記録再生装置では、レーザー発光パターン部１０２の出力から分岐した変調信号を遅延装置１０６に入力し、変調信号に前述する遅延時間分に相当する遅延を与える構成となっている。遅延装置１０６から出力される、遅延された変調信号を示したのが図３の（ｄ）であり、本実施の形態では、レーザー発光パターン部１０２の出力から分岐した変調信号から、前述する遅延時間に相当するＴ時間分が遅延された変調信号（遅延変調信号）が出力されることとなる。
【００３７】
遅延装置１０６から出力された遅延変調信号は差動アンプ１０７に入力され、遅延変調信号の信号レベルが反転される。このときの、差動アンプ１０７の出力を示したのが図３の（ｅ）であり、この図から明らかなように遅延変調信号のレベルが反転されることとなる。
【００３８】
差動アンプ１０７から出力され、反転された遅延変調信号は等化回路１０８に入力され、反転された遅延変調信号は図３の（ｆ）に示すように、レーザービームの発光状態と同じような先鋭化した信号波形に変換される。ただし、本実施の形態では、例えば等化回路１０８は周知のフィルタ回路からなり、フィルタ定数を適宜設定することによって、入力信号をレーザー光源２０１での発光状態の逆特性の等化を行う。
【００３９】
等化回路１０８から出力された等化処理後の遅延変調信号は、加算回路１０９の他方の加算入力に入力され、一方の加算入力に入力された再生信号（図３の（ｇ）に示す）と加算処理される。ここで、再生信号に重畳される変調信号成分は、等化回路１０８から出力される等化処理後の遅延変調信号と極性が異なるのみで、同じ形状の波形となるので、再生信号に重畳される変調信号成分が取り除かれ、図３の（ｈ）に示すように、加算回路１０９から出力される信号は、＋１次光が記録マークを検出した信号（同時記録再生信号）となる。
【００４０】
なお、以上の説明は、同時記録再生時における動作であるが、通常再生時には、スイッチ回路１１０を０次光に切り替えるようになっている。ただし、再生時には、レーザー光のパワーを制御することで、同時記録再生時と同じように、１次光で再生できるような構成も可能である。
【００４１】
図４は本実施の形態における回折格子による１次光の発生動作を説明するための図であり、Ｌは回折格子２０３と光ディスク１０５との距離、Δｘ１は光ディスク１０５の記録面での０次光と１次光との距離を示している。
【００４２】
図４に示すように、回折格子２０３から光ディスク１０５までの距離をＬ、光ディスク１０５の表面での０次光と＋１次光との間の距離をΔｘ１、回折格子２０３で回折される０次光と＋１次光とのなす角度をθ、レーザー光源２０１から照射されるレーザー光の波長をλ、回折格子２０３の格子定数をｄとすると、下記の式１が成り立つ。
【００４３】
【数１】
λ＝ｄ×ｓｉｎθ＝ｄ×Δｘ１／（Ｌ２＋Δｘ１２）１／２　・・・・（式１）
従って、Δｘ１が光ディスク１０５のピッチ間隔と比較して、最適な値となるように格子定数ｄの回折格子２０３を選択することによって、本実施の形態に適した光学ピックアップヘッド１０４を構成することができる。
【００４４】
図５は本実施の形態の回折格子の作用を説明するための図である。ただし、図５では説明を簡略化し、図示しないレーザー光源２０１であるレーザーダイオードから照射されるレーザー光を直接に回折格子２０３により回折し、第２のレンズ２０７により光ディスク１０５の記録面５０１に照射する場合の例を示す。
【００４５】
図５において、図示しないレーザーダイオードから照射されたレーザー光は、回折格子２０３で回折され、第２のレンズ２０７に入射する。第２のレンズ２０７により、回折格子２０３で回折されないレーザー光により光ディスク１０５の記録面５０１に０次光のレーザースポット２０９が形成される。また、回折格子２０３で回折されたレーザー光により光ディスク１０５の記録面５０１に＋１次光のレーザースポット２１０と、−１次光のレーザースポット２１１が形成されることとなる。
このとき、本実施の形態では、各レーザースポット２０９〜２１１が、光ディスク１０５のトラックの線方向に配列されるように、回折格子２０３が配置される構成となっている。
【００４６】
以上説明したように、本実施の形態の光記録再生装置では、レーザー光源２０１と光ディスク１０５との光学経路中に、レーザー光源２０１から照射されるレーザー光を回折する回折格子２０３が配置されると共に、レーザー光の０次光と±１次光の内の少なくとも一方の１次光とが、光ディスク１０５のトラックの線方向に一致するように、回折格子２０３が配置されている。
【００４７】
従って、記録の際に、レーザー光源２０１から照射されるレーザー光を回折した０次光により光ディスク１０５に記録マークを記録することにより、レーザー光を回折した±１次光の内の何れかの１次光で記録マークを再生することが可能となるので、一の光学ピックアップヘッド１０４で記録マークの記録と、この記録された記録マークから得られる再生信号の読み出しをリアルタイムに行うことができる。また、一の光学ピックアップヘッド１０４で記録マークの記録と再生信号の読み出しとをリアルタイムに行うことができるので、書き込みの信頼性を向上させることができる。さらには、一の光学ピックアップヘッド１０４で記録マークの記録と再生信号の読み出しとをリアルタイムに行うことができるので、装置構成を簡単化することができる。
【００４８】
以上、本発明者によってなされた発明を、前記発明の実施の形態に基づき具体的に説明したが、本発明は、前記発明の実施の形態に限定されるものではなく、その要旨を逸脱しない範囲において種々変更可能であることは勿論である。
【００４９】
【発明の効果】
本願において開示される発明のうち代表的なものによって得られる効果を簡単に説明すれば、下記の通りである。
（１）記録時のレーザー光を回折して得た±１次光の内の何れかの１次光で記録マークを再生するので、一の光学ピックアップヘッドで記録マークの記録と再生信号の読み出しとをリアルタイムに行うことができる。
（２）一の光学ピックアップヘッドで記録マークの記録と再生信号の読み出しとをリアルタイムに行うことができるので、書き込みの信頼性を向上させた光記録再生装置を提供することができる。
（３）一の光学ピックアップヘッドで記録マークの記録と再生信号の読み出しとをリアルタイムに行うことができるので、装置構成を簡単化することができる。
【図面の簡単な説明】
【図１】本発明の一実施の形態である光記録再生装置の概略構成を説明するための図である。
【図２】本実施の形態の光記録再生装置の詳細構成を説明するための図である。
【図３】本実施の形態の光記録再生装置における各構成部の出力波形を示す図である。
【図４】本実施の形態における回折格子による１次光の発生動作を説明するための図である。
【図５】本実施の形態の回折格子の作用を説明するための図である。
【符号の説明】
１０１…記録データ　　　　　　　　　１０２…レーザー発光パターン部
１０３…レーザー駆動装置　　　　　　１０４…光学ピックアップヘッド
１０５…光ディスク　　　　　　　　　１０６…遅延装置
１０７…差動アンプ　　　　　　　　　１０８…等化回路
１０９…加算回路　　　　　　　　　　１１０…スイッチ回路
１１１…プリアンプ　　　　　　　　　１１２…Ａ／Ｄ変換器
１１３…復号器　　　　　　　　　　　１１４…再生データ
１１５…モータ
２０１…レーザー光源　　　　　　　　２０２…第１のレンズ
２０３…回折格子　　　　　　　　　　２０４…ビームスプリッター
２０５…偏光板　　　　　　　　　　　２０６…反射鏡
２０７…第２のレンズ　　　　　　　　２０８…第３のレンズ
２０９…０次光のレーザースポット
２１０…＋１次光によるレーザースポット
２１１…−１次光によるレーザースポット
２１２…レーザー検出器
５０１…記録面
【図１】
2004022044.tif 000003
【図２】
2004022044.tif 000004
【図３】
2004022044.tif 000005
【図４】
2004022044.tif 000006
【図５】
2004022044.tif 000007